(57)【要約】【課題】複数枚の紙片が一辺を綴じ辺として綴じられ、綴じ辺に対向する辺にて段差を有する構成において、冊子を構成する紙片が脱落してしまう可能性を低減させながらも、段差を確実に形成する。【解決手段】表紙片１０と中紙片２０ａ，２０ｂと裏紙片３０とがこの順で重ね合わされて剥離可能に貼着され、一辺を綴じ辺として綴じられて構成された構成において、中紙片ト２０ａと裏紙片３０とが、綴じ辺を介して連接した１枚のシートからなり、綴じ辺を中心として折り畳まれて構成され、表紙片１０及び中紙片２０ａ，２０ｂは、綴じ辺から該綴じ辺に対向する辺までの長さが、表紙片１０が最も短く、中紙片２０ｂが最も長く、中紙片２０ｂと裏紙片３０とは、綴じ辺から該綴じ辺に対向する辺までの長さが互いに異なる。【選択図】図１
2020032668.tif 000002
【特許請求の範囲】
【請求項１】
第１、第２、第３及び第４の紙片がこの順で重ね合わされて剥離可能に貼着され、一辺を綴じ辺として綴じられて構成された冊子であって、
前記第２の紙片と前記第４の紙片とは、前記綴じ辺を介して連接した１枚のシートからなり、前記綴じ辺を中心として折り畳まれて構成され、
前記第１、第２及び第３の紙片は、前記綴じ辺から該綴じ辺に対向する辺までの長さが、前記第１の紙片が最も短く、前記第３の紙片が最も長く、
前記第３の紙片と前記第４の紙片とは、前記綴じ辺から該綴じ辺に対向する辺までの長さが互いに異なる、冊子。
【請求項２】
請求項１に記載の冊子において、
前記第１の紙片と前記第４の紙片とは、前記綴じ辺から該綴じ辺に対向する辺までの長さが互いに等しい、冊子。
【発明の詳細な説明】
【技術分野】
【０００１】
本発明は、複数枚の紙片が剥離可能に貼着されてその一辺を綴じ辺として綴じられてなる冊子に関する。
【背景技術】
【０００２】
商品等のカタログやパンフレットは、複数枚の紙片が綴じられた冊子として提供されているものが多い。このようなカタログやパンフレットは、冊子状となっていることにより、多くの情報を表示することができるとともに、利用者が見やすいものとなっている。一般的に、冊子状となったカタログやパンフレットは、同一形状の複数枚の紙片が、その一辺が綴じ辺として綴じられて冊子状とされたり、同一形状の複数枚の紙片が、その中心部が綴じ部として綴じられ、中心部が折り部として折り畳まれることにより冊子状とされたりしている。
【０００３】
冊子状となったカタログやパンフレットは、１頁ずつ捲れやすくなっていることが好ましい。特に、未開封のカタログやパンフレットは、表面の印刷によるインクや静電気によって複数枚の紙片どうしがくっつくあるいは離れにくくなっている場合があり、頁を捲る際、複数の頁を同時に捲ってしまうことがある。また、頁どうしがくっついている場合、１頁ずつ捲るために紙片どうしを指でずらすようにすると、紙片が折れてしまったり、破れてしまったりする虞れがある。
【０００４】
ここで、同一形状を有する複数枚の紙片を互いにずれるように重ね合わせ、その後、綴じ辺となる部分を中心として複数枚の紙片を折り畳むことで、複数枚の紙片の綴じ辺と対向する辺を段差形状とし、それにより、剥離可能に貼着された複数枚の紙片どうしを剥離する際の指がかりを補助する冊子が考えられている（例えば、特許文献１，２参照。）。このように構成された冊子においては、複数枚の紙片が剥離された後においても、段差形状によって複数枚の紙片を１枚ずつ捲れやすくすることができる。
【先行技術文献】
【特許文献】
【０００５】
【特許文献１】実公平７−３７８８８号公報
【特許文献２】特許第４８０３４４８１号公報
【発明の概要】
【発明が解決しようとする課題】
【０００６】
しかしながら、同一形状の複数枚の紙片が、その一辺が綴じ辺として綴じられて冊子状とされたものにおいては、冊子を構成する複数枚の紙片が他の紙片から分離して脱落してしまう虞がある。
【０００７】
また、特許文献１，２に開示された冊子のように、同一形状を有する複数枚の紙片を互いにずれるように重ね合わせ、その後、綴じ辺となる部分を中心として複数枚の紙片を折り畳むことで、複数枚の紙片の綴じ辺と対向する辺を段差形状とするものにおいては、複数枚の紙片を折り畳むことで冊子を構成するため、複数枚の紙片が他の紙片から分離して脱落してしまう可能性は低減する。しかしながら、複数枚の紙片が重ね合わされた状態で複数枚の紙片を折り畳むことになるため、複数枚の紙片を折り畳む際に紙片どうしが意図せずにずれてしまう虞があり、その場合、意図する段差を形成することができなくなってしまうという問題点がある。
【０００８】
本発明は、上述したような従来の技術が有する問題点に鑑みてなされたものであって、複数枚の紙片が一辺を綴じ辺として綴じられ、綴じ辺に対向する辺にて段差を有する冊子において、冊子を構成する紙片が脱落してしまう可能性を低減させながらも、段差を確実に形成することができる冊子を提供することを目的とする。
【課題を解決するための手段】
【０００９】
上記目的を達成するために本発明は、
第１、第２、第３及び第４の紙片がこの順で重ね合わされて剥離可能に貼着され、一辺を綴じ辺として綴じられて構成された冊子であって、
前記第２の紙片と前記第４の紙片とは、前記綴じ辺を介して連接した１枚のシートからなり、前記綴じ辺を中心として折り畳まれて構成され、
前記第１、第２及び第３の紙片は、前記綴じ辺から該綴じ辺に対向する辺までの長さが、前記第１の紙片が最も短く、前記第３の紙片が最も長く、
前記第３の紙片と前記第４の紙片とは、前記綴じ辺から該綴じ辺に対向する辺までの長さが互いに異なる。
【００１０】
上記のように構成された本発明においては、冊子を構成する第１、第２、第３及び第４の紙片のうち、第２の紙片と第４の紙片とが、綴じ辺を介して連接した１枚のシートからなり、綴じ辺を中心として折り畳まれて構成され、この第２の紙片と第４の紙片との間に第３の紙片が挟まれて剥離可能に貼着された状態となっていることで、冊子を構成する紙片が脱落してしまう可能性が低減する。また、そのような構成としながらも、冊子を構成する第１、第２、第３及び第４の紙片のうち１枚のシートが折り畳まれて構成される紙片が第２の紙片と第４の紙片のみであるため、折り畳まれるシートが１枚のみとなり、それにより、シートを折り畳む際にシートがずれることで段差が形成されなくなってしまうことが回避される。
【００１１】
また、重ね合わされた紙片の数が、その数が最も多い部分に対して少ない部分においては、紙片どうしを剥離可能に貼着するために表裏から押圧された際に、その押圧力が十分に伝わらずに、紙片どうしの貼着が不十分となることでいわゆる浮きが生じたり、不用意に剥離してしまったりするが、第１〜第３の紙片のうち綴じ辺から綴じ辺に対向する辺までの長さが最も短い第１の紙片と第４の紙片とが、綴じ辺から綴じ辺に対向する辺までの長さが互いに等しければ、重ね合わされた紙片の数が、その数が最も多い部分に対して少ない部分が、第２の紙片と第３の紙片とが重ね合わされた部分のみとなるため、浮きが生じたり不用意に剥離したりする部分が少なくなる。
【発明の効果】
【００１２】
本発明によれば、冊子を構成する第１、第２、第３及び第４の紙片のうち、第２の紙片と第４の紙片とのみが、綴じ辺を介して連接した１枚のシートからなり、綴じ辺を中心として折り畳まれて構成され、この第２の紙片と第４の紙片との間に第３の紙片が挟まれて剥離可能に貼着された状態となっているため、複数枚の紙片が一辺を綴じ辺として綴じられ、綴じ辺に対向する辺にて段差を有する冊子において、冊子を構成する紙片が脱落してしまう可能性を低減させながらも、段差を確実に形成することができる。
【００１３】
また、第１の紙片と第４の紙片とが、綴じ辺から綴じ辺に対向する辺までの長さが互いに等しいものにおいては、重ね合わされた紙片の数が、その数が最も多い部分に対して少ない部分が、第２の紙片と第３の紙片とが重ね合わされた部分のみとなるため、紙片どうしを剥離可能に貼着するために表裏から押圧された際に、その押圧力が十分に伝わらずに浮きが生じたり不用意に剥離したりする部分を少なくすることができる。
【図面の簡単な説明】
【００１４】
【図１】本発明の冊子の第１の実施の形態を示す図であり、（ａ）は表面図、（ｂ）は（ａ）に示したＡ−Ａ’断面図、（ｃ）は裏面図である。
【図２】図１に示した郵送冊子の製造方法を説明するための断面図である。
【図３】図１に示した郵送冊子の作用効果を説明するための断面図である。
【図４】図１に示した郵送冊子の使用方法を説明するための図である。
【図５】図１に示した郵送冊子の使用方法を説明するための図である。
【図６】図１に示した郵送冊子の使用方法を説明するための図である。
【図７】本発明の冊子の第２の実施の形態を示す図であり、（ａ）は表面図、（ｂ）は（ａ）に示したＡ−Ａ’断面図である。
【図８】図７に示した郵送冊子の作用効果を説明するための断面図である。
【発明を実施するための形態】
【００１５】
以下に、本発明の実施の形態について図面を参照して説明する。
【００１６】
（第１の実施の形態）
図１は、本発明の冊子の第１の実施の形態を示す図であり、（ａ）は表面図、（ｂ）は（ａ）に示したＡ−Ａ’断面図、（ｃ）は裏面図である。
【００１７】
本形態は図１に示すように、表紙片１０と、中紙片２０ａ，２０ｂと、裏紙片３０との４枚の紙片がこの順で重ね合わされて剥離可能に貼着された郵送冊子１である。
【００１８】
表紙片１０は、本願発明における第１の紙片となるものである。表紙片１０は、長方形の形状を有し、長辺の一辺が綴じ辺１１となり、綴じ辺１１に沿ってミシン目１２が形成されている。
【００１９】
中紙片２０ａは、本願発明における第２の紙片となるものである。中紙片２０ａは、長方形の形状を有し、長辺の一辺が綴じ辺２１ａとなっている。そして、この綴じ辺２１ａが表紙片１０の綴じ辺１１と重なり合うように表紙片１０の裏面に積層され、表紙片１０との積層面に積層された擬似接着層５０によって表紙片１０の裏面に剥離可能に貼着されている。また、表紙片１０との積層面には、表紙片１０のミシン目１２に対向する領域と綴じ辺２１ａとの間の領域に粘着剤層６０が積層されており、この領域においては、表紙片１０と中紙片２０ａとが剥離困難に貼着されている。なお、剥離困難とは、表紙片１０と中紙片２０ａとを人間の手によって剥離した場合に、表紙片１０や中紙片２０ａ自体が裂かれたり厚み方向に分割されたりする程度に強く貼着されていることである。また、中紙片２０ａの短辺方向となる綴じ辺２１ａから綴じ辺２１ａに対向する辺までの長さＬ２は、表紙片１０の短辺方向となる綴じ辺１１から綴じ辺１１に対向する辺までの長さＬ１よりも長いものとなっている。また、中紙片２０ａの長辺方向の長さは、表紙片１０の長辺方向の長さと等しいものとなっている。
【００２０】
中紙片２０ｂは、本願発明における第３の紙片となるものである。中紙片２０ｂは、長方形の形状を有し、長辺の一辺が綴じ辺２１ｂとなっている。そして、この綴じ辺２１ｂが中紙片２０ａの綴じ辺２１ａと重なり合うように中紙片２０ａの表紙片１０との積層面とは反対側の面に積層され、中紙片２０ａとの積層面に積層された擬似接着層５０によって表紙片１０の裏面に剥離可能に貼着されている。また、表紙片１０のミシン目１２に対向してミシン目２２が形成されている。また、中紙片２０ａとの積層面には、ミシン目２２と綴じ辺２１ｂとの間の領域に粘着剤層６０が積層されており、この領域においては、中紙片２０ａと中紙片２０ｂとが剥離困難に貼着されている。また、中紙片２０ｂの短辺方向となる綴じ辺２１ｂから綴じ辺２１ｂに対向する辺までの長さＬ３は、中紙片２０ａの短辺方向となる綴じ辺２１ａから綴じ辺２１ａに対向する辺までの長さＬ２よりも長いものとなっている。また、中紙片２０ｂの長辺方向の長さは、中紙片２０ａの長辺方向の長さと等しいものとなっている。
【００２１】
裏紙片３０は、本願発明における第４の紙片となるものである。裏紙片３０は、長方形の形状を有し、長辺の一辺が綴じ辺３１となっている。そして、この綴じ辺３１が中紙片２０ｂの綴じ辺２１ｂと重なり合うように中紙片２０ｂの中紙片２０ａとの積層面とは反対側の面に積層され、中紙片２０ｂの裏紙片３０との積層面に積層された擬似接着層５０によって中紙片２０ｂの裏面に剥離可能に貼着されている。中紙片２０ａと裏紙片３０とは、綴じ辺２１ａ，３１を連接辺として連接した１枚のシートから構成されており、綴じ辺２１ａ，３１を折り部２３とし、中紙片２０ｂを挟んだ状態で折り畳まれて構成されている。また、裏紙片３０の短辺方向となる綴じ辺３１から綴じ辺３１に対向する辺までの長さＬ４は、表紙片１０の短辺方向となる綴じ辺１１から綴じ辺１１に対向する辺までの長さＬ１と等しいものとなっている。また、裏紙片３０の長辺方向の長さは、中紙片２０ｂの長辺方向の長さと等しいものとなっている。
【００２２】
以下に、上記のように構成された郵送冊子１の製造方法について説明する。
【００２３】
図２は、図１に示した郵送冊子１の製造方法を説明するための断面図である。なお、表紙片１０及び中紙片２０ｂにそれぞれ形成されるミシン目１２，２２及び粘着剤層６０についての説明は省略する。
【００２４】
図１に示した郵送冊子１を製造する場合はまず、中紙片２０ｂと中紙片２０ａと裏紙片３０と表紙片１０とがこの順で連接してなる連続シート２の一方の面の全面に擬似接着剤を塗布することで擬似接着層５０を積層する（図２（ａ））。なお、連続シート２は、中紙片２０ｂと中紙片２０ａと裏紙片３０と表紙片１０との連接方向に直交する方向に、これら連接した中紙片２０ｂと中紙片２０ａと裏紙片３０と表紙片１０とが複数連続して構成されている。
【００２５】
次に、中紙片２０ａ，２０ｂの他方の面の全面にも擬似接着剤を塗布することで擬似接着層５０を積層する（図２（ｂ））。
【００２６】
次に、中紙片２０ａと中紙片２０ｂとを切り離すとともに、表紙片１０と裏紙片３０とを切り離す（図２（ｃ））。なお、中紙片２０ａと裏紙片３０とは切り離されずに連接した１枚の連接シート３となっている。
【００２７】
次に、中紙片２０ａと裏紙片３０とが連接した連接シート３を裏紙片３０の擬似接着層５０が積層されていない面が内側となるように連接辺を折り部２３として折り畳み、その際、中紙片２０ａと裏紙片３０との間に中紙片２０ｂを挟み込むとともに、中紙片２０ａの中紙片２０ｂとは反対側の面に表紙片１０を積層し、これら重ね合わされた表紙片１０と中紙片２０ａ，２０ｂと裏紙片３０とを表裏から所定の圧力で押圧することで、擬似接着層５０によって剥離可能に貼着する（図２（ｄ））。
【００２８】
その後、重ね合わされて互いに剥離可能に貼着された表紙片１０と中紙片２０ａ，２０ｂと裏紙片３０とを単片状に断裁し、図１に示した郵送冊子１を完成させる。
【００２９】
以下に、上記のようにして製造された郵送冊子１の作用効果について説明する。
【００３０】
図３は、図１に示した郵送冊子１の作用効果を説明するための断面図である。
【００３１】
図１に示した郵送冊子１においては、上述したように、表紙片１０と中紙片２０ａ，２０ｂと裏紙片３０とを擬似接着層５０によって剥離可能に貼着するためには、重ね合わされた表紙片１０と中紙片２０ａ，２０ｂと裏紙片３０とを表裏から所定の圧力で押圧することになる。その際、重ね合わされた紙片の数が、その数が最も多い部分に対して少ない部分においては、その押圧力が十分に伝わらずに、重ね合わされた紙片どうしの貼着が不十分となることでいわゆる浮きが生じたり、不用意に剥離してしまったりする。
【００３２】
ところが、図１に示した郵送冊子１においては、上述したように、表紙片１０と中紙片２０ａ，２０ｂとのうち綴じ辺から綴じ辺に対向する辺までの長さが最も短い表紙片１０の綴じ辺１１から綴じ辺１１に対向する辺までの長さと、裏紙片３０の綴じ辺３１から綴じ辺３１に対向する辺までの長さとが互いに等しいものとなっている。そのため、図３（ａ）に示すように、図１に示した郵送冊子１においては、重ね合わされた紙片の数が最も多い部分は、表紙片１０と中紙片２０ａ，２０ｂと裏紙片３０との４枚の紙片全てが重ね合わされた領域となる一方、重ね合わされた紙片の数が４枚に対して少ない部分は、中紙片２０ａ，２０ｂの２枚の紙片が重ね合わされた領域のＡ部のみとなる。
【００３３】
このように、重ね合わされた紙片の数が、その数が最も多い４枚の紙片が重ね合わされた部分に対して少ない部分が、中紙片２０ａ，２０ｂの２枚の紙片が重ね合わされた部分のみとなるため、表紙片１０と中紙片２０ａ，２０ｂと裏紙片３０とを剥離可能に貼着するために表裏から押圧された際に、その押圧力が十分に伝わらずに、いわゆる浮きが生じたり不用意に剥離したりする部分を少なくすることができる。
【００３４】
また、図１に示した郵送冊子１においては、中紙片２０ａと裏紙片３０とが綴じ辺２１ａ，３１を介して連接した１枚のシートからなり、綴じ辺２１ａ，３１を折り部２３として折り畳まれて構成されることで、図３（ｂ）中矢印で示すように、この中紙片２０ａと裏紙片３０との間に中紙片２０ｂが挟まれて剥離可能に貼着された状態となり、中紙片２０ａに表紙片１０が貼着され、中紙片２０ａと裏紙片３０とに中紙片２０ｂが貼着されているため、例え上述したように中紙片２０ａと中紙片２０ｂとの間に浮きが生じたとしても、郵送冊子１を構成する紙片が脱落しにくいものとなる。
【００３５】
また、複数の紙片が連接したシートが中紙片２０ａと裏紙片３０とが連接したシート１枚のみであるため、重ね合わされた場合に段差が生じる郵送冊子１において、複数の紙片が連接したシートを折り畳む際に紙片間でずれが生じて段差が形成されなくなってしまうことが回避され、段差を確実に形成することができるようになる。
【００３６】
以下に、上述した郵送冊子１の使用方法について説明する。
【００３７】
図４〜図６は、図１に示した郵送冊子１の使用方法を説明するための図である。
【００３８】
図１に示した郵送冊子１は、例えば、郵送冊子１の郵送先の住所や氏名からなる郵送情報が表紙片１０に印字されており、この郵送情報に従って郵送先に郵送されていく。
【００３９】
郵送冊子１が郵送先に届けられた後、郵送冊子１の郵送先において、図４（ａ）に示すように、表紙片１０が、ミシン目１２が沿う綴じ辺１１とは反対側の辺の角部を剥離開始端部として中紙片２０ａから剥離されていく。表紙片１０と中紙片２０ａとは擬似接着層５０によって剥離可能に貼着されているため、表紙片１０を中紙片２０ａから剥離することができる。さらにその際、表紙片１０の綴じ辺１１とは反対側の辺と、中紙片２０ａの綴じ辺２１ａとは反対側の辺との間には、表紙片１０の綴じ辺１１から綴じ辺１１に対向する辺までの長さが、中紙片２０ａの綴じ辺２１ａから綴じ辺２１ａに対向する辺までの長さよりも短いことにより段差が生じているため、この段差を利用して表紙片１０の剥離開始端部が摘みやすくなっている。
【００４０】
表紙片１０が中紙片２０ａから剥離されていくと、表紙片１０の綴じ辺１１に沿う領域が粘着剤層６０によって中紙片２０ａと剥離困難に貼着されており、さらに、表紙片１０には、粘着剤層６０に沿ってミシン目１２が形成されているため、図４（ｂ）に示すように、表紙片１０をミシン目１２にて折り畳むことで粘着剤層６０が積層された領域を中心として表紙片１０と中紙片２０ａとを見開くことができる。これにより、表紙片１０の中紙片２０ａとの積層面に表示された通知情報１４と、中紙片２０ａの表紙片１０との積層面に表示された通知情報２４ａとが視認可能となり、これら通知情報１４，２４ａを郵送冊子１の郵送先に通知することができる。
【００４１】
その後、図５（ａ）に示すように、中紙片２０ａが綴じ辺２１ａとは反対側の辺の角部を剥離開始端部として中紙片２０ｂから剥離されていく。中紙片２０ａと中紙片２０ｂとは擬似接着層５０によって剥離可能に貼着されているため、中紙片２０ａを中紙片２０ｂから剥離することができる。さらにその際、中紙片２０ａの綴じ辺２１ａとは反対側の辺と、中紙片２０ｂの綴じ辺２１ｂとは反対側の辺との間には、中紙片２０ａの綴じ辺２１ａから綴じ辺２１ａに対向する辺までの長さが、中紙片２０ｂの綴じ辺２１ｂから綴じ辺２１ｂに対向する辺までの長さよりも短いことにより段差が生じているため、この段差を利用して中紙片２０ａの剥離開始端部が摘みやすくなっている。
【００４２】
中紙片２０ａが中紙片２０ｂから剥離されていくと、中紙片２０ａの綴じ辺２１ａに沿う領域が粘着剤層６０によって中紙片２０ｂと剥離困難に貼着されており、さらに、中紙片２０ｂには、粘着剤層６０に沿ってミシン目２２が形成されているため、図５（ｂ）に示すように、中紙片２０ｂをミシン目２２にて折り畳むことで粘着剤層６０が積層された領域を中心として中紙片２０ａと中紙片２０ｂとを見開くことができる。これにより、中紙片２０ａの中紙片２０ｂとの積層面に表示された通知情報２５ａと、中紙片２０ｂの中紙片２０ａとの積層面に表示された通知情報２４ｂとが視認可能となり、これら通知情報２４ｂ，２５ａを郵送冊子１の郵送先に通知することができる。
【００４３】
また、郵送冊子１の郵送先においては、図６（ａ）に示すように、裏紙片３０が綴じ辺３１とは反対側の辺の角部を剥離開始端部として中紙片２０ｂから剥離されていく。裏紙片３０と中紙片２０ｂとは擬似接着層５０によって剥離可能に貼着されているため、裏紙片３０を中紙片２０ｂから剥離することができる。さらにその際、裏紙片３０の綴じ辺３１とは反対側の辺と、中紙片２０ｂの綴じ辺２１ｂとは反対側の辺との間には、裏紙片３０の綴じ辺３１から綴じ辺３１に対向する辺までの長さが、中紙片２０ｂの綴じ辺２１ｂから綴じ辺２１ｂに対向する辺までの長さよりも短いことにより段差が生じているため、この段差を利用して裏紙片３０の剥離開始端部が摘みやすくなっている。
【００４４】
裏紙片３０が中紙片２０ｂから剥離されていくと、裏紙片３０が綴じ辺３１を連接辺として中紙片２０ａと連接しているため、図６（ｂ）に示すように、綴じ辺３１を中心として裏紙片３０と中紙片２０ｂとを見開くことができる。これにより、表紙片２０ｂの裏紙片３０との積層面に表示された通知情報２５ｂと、裏紙片３０の中紙片２０ｂとの積層面に表示された通知情報３４とが視認可能となり、これら通知情報２５ｂ，３４を郵送冊子１の郵送先に通知することができる。
【００４５】
（第２の実施の形態）
図７は、本発明の冊子の第２の実施の形態を示す図であり、（ａ）は表面図、（ｂ）は（ａ）に示したＡ−Ａ’断面図である。
【００４６】
本形態は図７に示すように、図１に示したものに対して、裏紙片１３０の大きさが異なる郵送冊子１０１である。
【００４７】
本形態における裏紙片１３０は、綴じ辺１３１から綴じ辺１３１に対向する辺までの長さＬ４が、表紙片１１０と中紙片１２０ａ，１２０ｂとのうち綴じ辺から綴じ辺に対向する辺までの長さが最も長い中紙片１２０ｂの綴じ辺１２１ｂから綴じ辺１２１ｂに対向する辺までの長さＬ３よりも長くなっている。
【００４８】
以下に、本形態における郵送冊子１０１の作用効果について説明する。
【００４９】
図８は、図７に示した郵送冊子１０１の作用効果を説明するための断面図である。
【００５０】
図７に示した郵送冊子１０１においては、図１に示した郵送冊子１と同様に、中紙片１２０ａと裏紙片１３０とが綴じ辺１２１ａ，１３１を介して連接した１枚のシートからなり、綴じ辺１２１ａ，１３１を折り部１２３として折り畳まれて構成されることで、図８中矢印で示すように、この中紙片１２０ａと裏紙片１３０との間に中紙片１２０ｂが挟まれて剥離可能に貼着された状態となり、中紙片１２０ａに表紙片１１０が貼着され、中紙片１２０ａと裏紙片１３０とに中紙片１２０ｂが貼着されているため、例え郵送冊子１０１を構成する紙片間に浮きが生じたとしても、郵送冊子１０１を構成する紙片が脱落しにくいものとなる。
【００５１】
また、複数の紙片が連接したシートが中紙片１２０ａと裏紙片１３０とが連接したシート１枚のみであるため、重ね合わされた場合に段差が生じる郵送冊子１０１において、複数の紙片が連接したシートを折り畳む際に紙片間でずれが生じて段差が形成されなくなってしまうことが回避され、段差を確実に形成することができるようになる。
【００５２】
なお、上述した実施の形態においては、表紙片１０，１１０と中紙片２０ａ，２０ｂ，１２０ａ，１２０ｂと裏紙片３０，１３０との４枚の紙片がこの順で重ね合わされて剥離可能に貼着ものを例に挙げて説明したが、表紙片１０，１１０や裏紙片３０，１３０の外側にさらに紙片を剥離可能に貼着した構成としてもよい。
【符号の説明】
【００５３】
１，１０１    郵送冊子
２    連続シート
３    連接シート
１０，１１０    表紙片
１１，２１ａ，２１ｂ，３１，１１１，１２１ａ，１２１ｂ，１３１    綴じ辺
１２，２２，１１２，１２２    ミシン目
１４，２４ａ，２４ｂ，２５ａ，２５ｂ，３４    通知情報
２０ａ，２０ｂ，１２０ａ，１２０ｂ    中紙片
２３，１２３    折り部
３０，１３０    裏紙片
５０，１５０    擬似接着層
６０，１６０    粘着剤層
【図１】
2020032668.tif 000003
【図２】
2020032668.tif 000004
【図３】
2020032668.tif 000005
【図４】
2020032668.tif 000006
【図５】
2020032668.tif 000007
【図６】
2020032668.tif 000008
【図７】
2020032668.tif 000009
【図８】
2020032668.tif 000010